(57)【要約】【課題】  鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備える施錠装置であって、従来に比べて安全性の高い施錠装置を提供する。【解決手段】  鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは二つのノーマルクローズのマイクロスイッチを有しており、キースイッチの正常作動時には二つのマイクロスイッチの出力信号が共にＯＮになる事態は発生せず、制御装置は、二つのマイクロスイッチが共にＯＮになると、キースイッチのキー本体が破壊されたものと認識し、キースイッチの出力信号の如何に関わらず、施錠機構に解錠信号を出力しない。【選択図】  図１
2005350933.tif 000002
【特許請求の範囲】
【請求項１】
鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは二つのノーマルクローズのマイクロスイッチを有しており、キースイッチの正常作動時には二つのマイクロスイッチの出力信号が共にＯＮになる事態は発生せず、制御装置は、二つのマイクロスイッチが共にＯＮになると、キースイッチのキー本体が破壊されたものと認識し、キースイッチの出力信号の如何に関わらず、施錠機構に解錠信号を出力しないことを特徴とする施錠装置。
【請求項２】
鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは二つのノーマルオープンのマイクロスイッチを有しており、キースイッチの正常作動時には二つのマイクロスイッチの出力信号が共にＯＦＦになる事態は発生せず、制御装置は、二つのマイクロスイッチが共にＯＦＦになると、キースイッチのキー本体が破壊されたものと認識し、キースイッチの出力信号の如何に関わらず、施錠機構に解錠信号を出力しないことを特徴とする施錠装置。
【請求項３】
鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは一つのノーマルクローズのマイクロスイッチと、一つのノーマルオープンのマイクロスイッチとを有しており、キースイッチの正常作動時にはノーマルクローズのマイクロスイッチがＯＮで且つノーマルオープンのマイクロスイッチがＯＦＦになる事態は発生せず、制御装置は、ノーマルクローズのマイクロスイッチがＯＮで且つノーマルオープンのマイクロスイッチがＯＦＦになると、キースイッチのキー本体が破壊されたものと認識し、キースイッチの出力信号の如何に関わらず、施錠機構に解錠信号を出力しないことを特徴とする施錠装置。
【発明の詳細な説明】
【技術分野】
【０００１】
本発明は、施錠装置に関するものである。
【背景技術】
【０００２】
鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備える施錠装置が特許文献１等に開示されている。
【特許文献１】特開平７−１２１７６２
【発明の開示】
【発明が解決しようとする課題】
【０００３】
特許文献１等の従来の施錠装置が備えるキースイッチは単一のスイッチを備えており、単にＯＮ／ＯＦＦ信号を出力するだけのものであった。従って、従来の施錠装置には、キースイッチのキー本体を破壊してスイッチを剥き出しにし、手動でスイッチをＯＮ又はＯＦＦすれば、制御装置に解錠信号を出力させることができ、施錠機構を解錠できるという欠点があった。
本発明は上記問題に鑑みてなされたものであり、鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備える施錠装置であって、従来に比べて安全性の高い施錠装置を提供することを目的とする。
【課題を解決するための手段】
【０００４】
上記課題を解決するために、本発明においては、鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは二つのノーマルクローズのマイクロスイッチを有しており、キースイッチの正常作動時には二つのマイクロスイッチの出力信号が共にＯＮになる事態は発生せず、制御装置は、二つのマイクロスイッチが共にＯＮになると、キースイッチのキー本体が破壊されたものと認識し、キースイッチの出力信号の如何に関わらず、施錠機構に解錠信号を出力しないことを特徴とする施錠装置を提供する。
【０００５】
本発明においては、鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは二つのノーマルオープンのマイクロスイッチを有しており、キースイッチの正常作動時には二つのマイクロスイッチの出力信号が共にＯＦＦになる事態は発生せず、制御装置は、二つのマイクロスイッチが共にＯＦＦになると、キースイッチのキー本体が破壊されたものと認識し、キースイッチの出力信号の如何に関わらず、施錠機構に解錠信号を出力しないことを特徴とする施錠装置を提供する。
【０００６】
本発明においては、鍵の操作により回動するキー本体と、キー本体の回動によりＯＮ／ＯＦＦされるスイッチとを有するキースイッチと、施錠機構と、キースイッチの出力信号を受けて施錠機構に施錠信号又は解錠信号を出力する制御装置とを備え、キースイッチは一つのノーマルクローズのマイクロスイッチと、一つのノーマルオープンのマイクロスイッチとを有しており、キースイッチの正常作動時にはノーマルクローズのマイクロスイッチがＯＮで且つノーマルオープンのマイクロスイッチがＯＦＦになる事態は発生せず、制御装置は、ノーマルクローズのマイクロスイッチがＯＮで且つノーマルオープンのマイクロスイッチがＯＦＦになると、キースイッチのキー本体が破壊されたものと認識し、キースイッチの出力信号の如何に関わらず、施錠機構に解錠信号を出力しないことを特徴とする施錠装置を提供する。
【０００７】
本発明に係る施錠装置においては、キー本体によりＯＮ／ＯＦＦされるスイッチを手動操作すべく、キー本体を破壊してキースイッチから取り除くと、二つのマイクロスイッチのＯＮ／ＯＦＦ状態が、キースイッチの正常作動時にはなり得ない状態になり、マイクロスイッチの異常を検知してキー本体の破壊を察知した制御装置が、施錠機構への解錠信号の出力を拒否するので、その後にマイクロスイッチを手動でどのように操作しても、最早制御装置に解錠信号を出力させることはできない。従って、本発明に係る施錠装置は、従来の施錠装置に比べて安全性が高い。
【発明の効果】
【０００８】
本発明により、従来の施錠装置に比べて安全性が高い施錠装置が提供される。
【発明を実施するための最良の形態】
【０００９】
本発明の実施例を説明する。
【実施例１】
【００１０】
図１に示すように、施錠装置Ａは、鍵を鍵穴に挿入して回すことより回動するキー本体１と、キー本体１の一端にキー本体１と一体に形成された略卵形のカム２と、カム２の回動ひいてはキー本体１の回動によりＯＮ／ＯＦＦされる二つのノーマルクローズのマイクロスイッチ３、４とを有するキースイッチ５と、制御装置６と、リレー７と電磁ソレノイド等の電動機器を有する施錠器具８とからなる施錠機構９と、漏電遮断器１０とを備えている。漏電遮断器１０は電源に接続さている。
施錠装置Ａは図示しない自動販売機の扉に取り付けられている。
【００１１】
施錠装置Ａの作動を説明する。
キー本体１が施錠された図２（ａ）の状態では、マイクロスイッチ３はカム２に押されてＯＦＦされ、マイクロスイッチ４はカム２から解放されてＯＮされている。キースイッチ５は、マイクロスイッチ３がＯＦＦであり、マイクロスイッチ４がＯＮである旨の信号を制御装置６へ出力する。
制御装置６はキースイッチ５の出力信号に基づいて、リレー７に施錠信号を出力し、施錠器具８への電力供給を停止し、施錠器具８を施錠状態にする。この結果、自動販売機の扉は開放不能になる。
キー本体１が施錠された状態では、キー本体１を回動させて、施錠器具８を解錠することはできない。
【００１２】
キー本体１の鍵穴に図示しない鍵が挿入され、キー本体１が解錠方向へ回転駆動されて図２（ｂ）の状態になると、マイクロスイッチ３はカム２に押されたＯＦＦ状態を維持し、マイクロスイッチ４はカム２に押されてＯＦＦされる。キースイッチ５は、マイクロスイッチ３、４が共にＯＦＦである旨の信号を制御装置６へ出力する。
制御装置６はキースイッチ５の出力信号に基づいて、リレー７への施錠信号の出力を維持し、施錠器具８への電力供給の停止を維持し、施錠器具８の施錠状態を維持する。この結果、自動販売機の扉は開放不能に維持される。
【００１３】
キー本体１の鍵穴に挿入された鍵が更に回され、キー本体１が図２（ｃ）の解錠状態になると、マイクロスイッチ３はカム２から開放されてＯＮになり、マイクロスイッチ４はカム２に押されたＯＦＦ状態を維持する。キースイッチ５は、マイクロスイッチ３がＯＮで、マイクロスイッチ４がＯＦＦである旨の信号を制御装置６へ出力する。
制御装置６はキースイッチ５の出力信号に基づいて、リレー７に解錠信号を出力し、漏電遮断器１０とリレー７とを介して施錠器具８へ電力を供給し、施錠器具８を解錠状態にする。この結果、自動販売機の扉は開放可能となる。
【００１４】
上記説明から分かるように、キースイッチ５が正常に作動している場合には、キースイッチ５は、マイクロスイッチ３、４が共にＯＮされている旨の信号を制御装置６に出力することは無い。
【００１５】
マイクロスイッチ３、４を手動操作すべく、キースイッチ５のキー本体１を破壊して、キー本体１とキー本体１に一体形成されたカム２とを、キースイッチ５から取り除くと、マイクロスイッチ３、４は、何れもカム２から解放されてＯＮ状態になる。キースイッチ５はマイクロスイッチ３、４が共にＯＮされている旨の信号を制御装置６に出力する。制御装置６は、マイクロスイッチ３、４が共にＯＮされている旨の信号をキースイッチ５から受信すると、キースイッチ５のキー本体１が破壊されたと認識し、以後キースイッチ５の出力信号の如何に関わらず、リレー６に解錠信号を出力しない。従って、キースイッチ５のキー本体１を破壊し、キー本体１とキー本体１に一体形成されたカム２とを取り除いた後に、マイクロスイッチ３、４を手動でどのように操作しても、最早制御装置６に解錠信号を出力させることはできず、施錠器具８を解錠することはできない。従って、施錠装置Ａは、従来の施錠装置に比べて安全性が高い。
【実施例２】
【００１６】
マイクロスイッチ３、４をノーマルクローズのマイクロスイッチとするのに代えて、両者をノーマルオープンのマイクロスイッチとしても良い。
この場合、図２（ａ）の状態ではマイクロスイッチ３がＯＮされマイクロスイッチ４がＯＦＦされ、図２（ｂ）の状態ではマイクロスイッチ３、４が共にＯＮされ、図２（ｃ）の状態ではマイクロスイッチ３がＯＦＦされマイクロスイッチ４がＯＮされる。従って、キースイッチ５の正常作動時には、マイクロスイッチ３、４が共にＯＦＦされた状態は発生しない。
【００１７】
マイクロスイッチ３、４を手動操作すべく、キースイッチ５のキー本体１を破壊して、キー本体１とキー本体１に一体形成されたカム２とを、キースイッチ５から取り除くと、マイクロスイッチ３、４は、何れもカム２から解放されてＯＦＦ状態になる。キースイッチ５はマイクロスイッチ３、４が共にＯＦＦされている旨の信号を制御装置６に出力する。制御装置６は、マイクロスイッチ３、４が共にＯＦＦされている旨の信号をキースイッチ５から受信すると、キースイッチ５のキー本体１が破壊されたと認識し、以後キースイッチ５の出力信号の如何に関わらず、リレー６に解錠信号を出力しない。従って、キースイッチ５のキー本体１を破壊し、キー本体１とキー本体１に一体形成されたカム２とを取り除いた後に、マイクロスイッチ３、４を手動でどのように操作しても、最早制御装置６に解錠信号を出力させることはできず、施錠器具８を解錠することはできない。従って、施錠装置Ａは、従来の施錠装置に比べて安全性が高い。
【実施例３】
【００１８】
マイクロスイッチ３、４をノーマルクローズのマイクロスイッチとするのに代えて、マイクロスイッチ３をノーマルクローズのマイクロスイッチとし、マイクロスイッチ４をノーマルオープンのマイクロスイッチとしても良い。
この場合、図２（ａ）の状態ではマイクロスイッチ３、４が共にＯＦＦされ、図２（ｂ）の状態ではマイクロスイッチ３がＯＦＦされマイクロスイッチ４がＯＮされ、図２（ｃ）の状態ではマイクロスイッチ３、４が共にＯＮされる。従って、キースイッチ５の正常作動時には、マイクロスイッチ３がＯＮされ、マイクロスイッチ４がＯＦＦされた状態は発生しない。
【００１９】
マイクロスイッチ３、４を手動操作すべく、キースイッチ５のキー本体１を破壊して、キー本体１とキー本体１に一体形成されたカム２とを、キースイッチ５から取り除くと、マイクロスイッチ３はカム２から解放されてＯＮ状態になり、マイクロスイッチ４はカム２から開放されてＯＦＦ状態になる。キースイッチ５はマイクロスイッチ３がＯＮされ、マイクロスイッチ４がＯＦＦされている旨の信号を制御装置６に出力する。制御装置６は、マイクロスイッチ３がＯＮされ、マイクロスイッチ４がＯＦＦされている旨の信号をキースイッチ５から受信すると、キースイッチ５のキー本体１が破壊されたと認識し、以後キースイッチ５の出力信号の如何に関わらず、リレー６に解錠信号を出力しない。従って、キースイッチ５のキー本体１を破壊し、キー本体１とキー本体１に一体形成されたカム２とを取り除いた後に、マイクロスイッチ３、４を手動でどのように操作しても、最早制御装置６に解錠信号を出力させることはできず、施錠器具８を解錠することはできない。従って、施錠装置Ａは、従来の施錠装置に比べて安全性が高い。
【００２０】
実施例３において、マイクロスイッチ３をノーマルオープンのマイクロスイッチとし、マイクロスイッチ４をノーマルクローズのマイクロスイッチとしても良い。この場合には、制御装置６は、マイクロスイッチ３がＯＦＦされ、マイクロスイッチ４がＯＮされている旨の信号をキースイッチ５から受信すると、キースイッチ５のキー本体１が破壊されたと認識し、以後キースイッチ５の出力信号の如何に関わらず、リレー６に解錠信号を出力しない。
【産業上の利用可能性】
【００２１】
本発明は種々の施錠装置に広く利用可能である。
【図面の簡単な説明】
【００２２】
【図１】本発明の実施例１に係る施錠装置のブロック図である。
【図２】本発明の実施例１に係る施錠装置の作動を示すキースイッチの正面図である。
【符号の説明】
【００２３】
Ａ  施錠装置
１  キー本体
２  カム
３、４  マイクロスイッチ
５  キースイッチ
６  制御装置
７  リレー
８  施錠器具
９  施錠機構
１０  漏電遮断器
【図１】
2005350933.tif 000003
【図２】
2005350933.tif 000004